(57)【要約】【課題】ゲル状物質を採用するハンドル部において、ゲル状物質の持つ特性を十分に発揮できて、手のひらに馴染み易くソフトタッチ感に優れ、また、十分な防振性や緩衝材としての効果を発揮できるようにする。【解決手段】回転動力を発生する駆動源を備え、この駆動源からの動力を受けて駆動する出力軸を先端に備えた工具本体部と、この工具本体部から延びるハンドル部を備えた携帯用動力工具において、樹脂フィルムで密封されたゲル状物質からなるゲル部材を、取り付け部材を介して少なくとも上記ハンドル部に取り付けるとともに上記取付け部材に対し露出させた。【選択図】図１
2008155300.tif 000002
【特許請求の範囲】
【請求項１】
回転動力を発生する駆動源を備え、この駆動源からの動力を受けて駆動する出力軸を先端に備えた工具本体部と、この工具本体部から延びるハンドル部を備えた携帯用動力工具において、樹脂フィルムで密封されたゲル状物質からなるゲル部材を、取付け部材を介して少なくとも上記ハンドル部に取り付けるとともに上記取付け部材に対し露出させたことを特徴とする携帯用動力工具。
【請求項２】
上記樹脂フィルムで密封されたゲル状物質からなるゲル部材を、取付け部材の表面より盛り上がらせたことを特徴とする請求項１に記載の携帯用動力工具。
【請求項３】
上記ゲル部材を、複数のセルに分けて形成したことを特徴とする請求項１又は２に記載の携帯用動力工具。
【請求項４】
上記取付け部材を上記ハンドル部から取り外し可能としたことを特徴とする請求項１乃至３のいずれかに記載の携帯用動力工具。
【請求項５】
上記取付け部材を上フレームと下フレームから構成し、この上フレームと下フレームとで上記ゲル部材の外周縁を挟んで一体化したことを特徴とする請求項１乃至４のいずれかに記載の携帯用動力工具。
【請求項６】
上記取付け部材に上記工具本体部の後部を覆うリアカバーを一体に形成し、このリアカバーで少なくとも上記駆動源のカーボンブラシホルダを覆ったことを特徴とする請求項１乃至５のいずれかに記載の携帯用動力工具。
【発明の詳細な説明】
【技術分野】
【０００１】
本発明は、特にハンドル部に改良を施した携帯用動力工具に関するものである。
【背景技術】
【０００２】
従来の携帯用動力工具のハンドル部には、ハンドル部を把持する手のソフトタッチ感、把持する手に伝わる駆動源等からの振動の防止、他のものにぶつかった場合の衝撃吸収効果を出すために、柔軟な樹脂材料からなるエラストマーやゴムが一体成形され、或いは接着により取り付けられていた。
しかし、エラストマーやゴムでは、まだ硬度も高く、不十分であった。
【０００３】
そこで、さらに改良が実施され、特許文献１には、ポリプロピレン樹脂等の軟質な材料で作られたハンドル部が心軸との間に密閉空室を囲暁し、密閉空室にゲル状物質を充填した防振ハンドルが開示されている。
【０００４】
また、特許文献２には、シリコーン系ゲル状緩衝材を樹脂フィルム内に密封した緩衝シートをハンドル部の前面と背面とに接着し、さらに可撓性を有する塩化ビニル樹脂製のグリップカバーでグリップを覆う技術が開示されている。
【特許文献１】特開昭６１−１０３７８６号公報
【特許文献２】特開平７−２０５０５５号公報
【発明の開示】
【発明が解決しようとする課題】
【０００５】
しかし、上記技術においても、ゲル状物質（シリコーン系ゲル状緩衝材）をポリプロピレン樹脂等の軟質な材料で覆うものであったり、可撓性を有する塩化ビニル樹脂製のグリップカバーで覆うものであるので、ゲル状物質の特性である低応力、防振性、衝撃吸収性を十分発揮できず、いまだ十分に手のひらに馴染みにくくソフトタッチ感に劣り、また、十分な防振材や緩衝材としての効果を発揮できないものであった。
【０００６】
そこで、本発明はゲル状物質を採用するハンドル部において、ゲル状物質の持つ特性を十分に発揮できて、手のひらに馴染み易くソフトタッチ感に優れ、また、十分な防振材や緩衝材としての効果を発揮できるようにすることを目的とする。
【課題を解決するための手段】
【０００７】
以下、本発明について説明する。なお、本発明の理解を容易にするために添付図面の参照番号を括弧書きにて付記するが、それにより本発明が図示の形態に限定されるものではない。
【０００８】
本発明の請求項１に係る携帯用動力工具は、回転動力を発生する駆動源（７）を備え、この駆動源（７）からの動力を受けて駆動する出力軸（３）を先端に備えた工具本体部（２）と、この工具本体部（２）から延びるハンドル部（４）を備えた携帯用動力工具（１）において、樹脂フィルム（１１）で密封されたゲル状物質（１２）からなるゲル部材（８）を、取付け部材（９）を介して少なくとも上記ハンドル部（４）に取り付けるとともに上記取付け部材（９）に対し露出させたことを特徴とする。
【０００９】
本発明の請求項２に係る携帯用動力工具は、上記樹脂フィルム（１１）で密封されたゲル状物質（１２）からなるゲル部材（８）を、取付け部材（９）の表面より盛り上がらせたことを特徴とする。
【００１０】
本発明の請求項３に係る携帯用動力工具は、ゲル部材（８）を、複数のセル（８ａ、８ｂ、８ｃ、８ｄ、８ｅ）に分けて形成したことを特徴とする。
【００１１】
本発明の請求項４に係る携帯用動力工具は、上記取付け部材（９）を上記ハンドル部（４）から取り外し可能としたことを特徴とする。
【００１２】
本発明の請求項５に係る携帯用動力工具は、上記取付け部材（９）を上フレーム（９ｂ）と下フレーム（９ａ）から構成し、この上フレーム（９ｂ）と下フレーム（９ａ）とで上記ゲル部材（８）の外周縁（８ｆ）を挟んで一体化したことを特徴とする。
【００１３】
本発明の請求項６に係る携帯用動力工具は、上記取付け部材（９）に上記工具本体部（２）の後部を覆うリアカバー（９ｃ）を一体に形成し、このリアカバー（９ｃ）で少なくとも上記駆動源（７）のカーボンブラシホルダ（２０）を覆ったことを特徴とする。
【発明の効果】
【００１４】
請求項１に記載の発明によれば、樹脂フィルムで密封されたゲル状物質からなるゲル部材を、取付け部材を介して少なくともハンドル部に取り付けるとともに取付け部材に対し露出させたので、ゲル部材が直接手のひらに接触し、ゲル状物質の特性である低応力、防振性、衝撃吸収性を十分に発揮でき、手のひらに馴染み易くなり、ソフトタッチ感が向上する。また、十分な防振材や緩衝材としての効果を発揮でき、作業者の疲労を軽減できるとともに、携帯用動力工具の落下等による他の物との衝突時の衝撃から携帯用動力工具の保護が図れるという利点がある。
【００１５】
請求項２に記載の発明によれば、ゲル部材を、取付け部材の表面より盛り上がらせたので、手のひらが取付け部材に当たることなくゲル部材に直接当たるので、手のひらに馴染み易くなり、ソフトタッチ感が向上するという利点がある。
【００１６】
請求項３に記載の発明によれば、ゲル部材を、複数のセルに分けて形成したので、ゲル部材が手の把持力により異常に変形するのを防止できるという利点がある。
【００１７】
請求項４に記載の発明によれば、取付け部材をハンドル部から取り外し可能としたので、ゲル部材の保守が容易に行われるという利点がある。
【００１８】
請求項５に記載の発明によれば、取付け部材を上フレームと下フレームから構成し、この上フレームと下フレームとでゲル部材の外周縁を挟んで一体化したので、ゲル部材を取付け部材に対し大きく露出できるとともに、取付け部材とゲル部材との一体化が容易に行われるという利点がある。
【００１９】
請求項６に記載の発明によれば、取付け部材に工具本体部の後部を覆うリアカバーを一体に形成し、このリアカバーで少なくとも駆動源のカーボンブラシホルダを覆ったので、リアカバーがカーボンブラシホルダのキャップとして機能し、容易にカーボンブラシの交換ができるとともに、部品点数の削減と組み立て工数の削減が図れるという利点がある。
【発明を実施するための最良の形態】
【００２０】
以下に本発明の実施の形態を添付図面にもとづいて説明する。
【００２１】
図１は本発明に係る携帯用動力工具の正面図、図２は同動力工具の右側面図、図３は同動力工具のＡ−Ａ断面矢視図、図４は取付け部材にゲル部材を一体化させた状態を示す正面図、図５は図２のＢ-Ｂ断面矢視図である。
【００２２】
図１乃至図３に示す携帯用動力工具１は、駆動源をモータ７とするインパクトドライバであって、駆動源であるモータ７を収納し、このモータ７からの回転動力が図示していない減速機構及びインパクト機構を介して伝達される出力軸３を先端部に備えた樹脂或いはアルミ合金等からなる工具本体部２、この工具本体部２から下方に延びるハンドル部４、このハンドル部４の上記工具本体部２と反対側の端部に取り外し可能に装着された電池パック５、及びハンドル部４の上記工具本体部２と連結する側の端部にあって出力軸３の側(前側）に設けられたモータ７の駆動をオン・オフするトリガスイッチ６とを備えている。
【００２３】
図１乃至図５に示すように、上記ハンドル部４と工具本体部２とが連結する部分にあって上記トリガスイッチ６の側と反対側（後側）には、上記工具本体部２の後部からハンドル部４の後部の略半分以上を覆うＡＢＳ樹脂等の熱可塑性樹脂材からなる取付け部材９が取り付けられている。この取付け部材９の略く字形状に形成された部分は、把持する手のひら及び親指と人差し指との間の曲線に合わせた形状に形成されている。なお、この取付け部材９の材質はＡＢＳ樹脂等の熱可塑性樹脂材に換えて、軟質の熱可塑性エラストマーであってもよい。軟質の熱可塑性エラストマーを使用すれば、取付け部材９も防振材、緩衝材としての効果を有することとなる。
【００２４】
この取付け部材９にあって、上記工具本体部２の後部の一部からハンドル部４の後部にわたって、把持する手のひら及び親指と人差し指との間の曲線に合わせて形成された略く字形状部分には、図５に示すように樹脂フィルム１１により密封されたゲル状物質１２にて形成されたゲル部材８が、その上下の樹脂フィルム１１の外周を貼り合わせて形成した外周縁８ａを固着して一体的に取り付けられている。
なお、ゲル状物質１２を密封するにあたっては、把持する手のひらが当たる側のみを樹脂フィルム１１で覆い、工具本体部２の側はＡＢＳ樹脂等の熱可塑性樹脂材あるいは軟質の熱可塑性エラストマーとしてもよい。
【００２５】
さらに図２に示すように、ゲル部材８は、５つのセル（８ａ、８ｂ、８ｃ、８ｄ、８ｅ）に分かれて形成されている。このようにゲル部材８を複数のセルで構成すると、単体のセルで構成するものに比べゲル部材８を形成しているゲル状物質１２が手の把持力により異常に変形するのを防止でき、耐久性が向上する。
【００２６】
なお、ゲル状物質１２を密封する樹脂フィルム１１は耐久性、耐薬品性に優れるポリウレタン樹脂フィルム、シリコーン樹脂フィルム、フッ素樹脂フィルム等が適し、その厚さは５０μｍ乃至５００μｍのものであれば採用可能であり、また一枚の樹脂フィルムであってもよいし、複数枚の樹脂フィルムが積層されたものであってもよい。なお、本実施の形態では３００μｍを採用することとした。また、ゲル状物質１２はシリコーンゲル、アクリルゲル、ウレタンゲル等が採用可能であり、本実施の形態ではシリコーンゲルを採用することとした。その硬度は針入度（ＪＩＳ  Ｋ−２２０７）が５０乃至２００のものであれば採用可能であるが、本実施の形態では１００±５０のものを採用することとした。
【００２７】
次に図２、図５によりゲル部材８を取付け部材９に取り付け、一体化する構造を説明する。まず取付け部材９は、工具本体部２の後部を覆うカップ状のリアカバー部９ｃを一体に形成するとともに、ゲル部材８の外周形状と相似形であってゲル部材８の外周縁８ｆを挟むために所定量だけ大きく形成された下フレーム９ａと、ゲル部材８の外周形状と相似形であってゲル部材８の外周縁８ｆを挟むために所定量だけ大きく形成され、ゲル部材８の樹脂フィルム１１にゲル状物質１２が密封された部分を露出させるための孔９ｄを形成した上フレーム９ｂとから構成されている。
【００２８】
この上フレーム９ｂの孔９ｄにゲル部材８の樹脂フィルム１１にゲル状物質１２が密封された部分のみを露出させて取り付け、ゲル部材８の外周縁８ｆを下フレーム９ａと上フレーム９ｂとで挟み、超音波ウエルダー或いは熱溶着にて取付け部材９とゲル部材８とを固着し一体化している。このように上フレーム９ｂの孔９ｄからゲル部材８の樹脂フィルム１１にゲル状物質１２が密封された部分が露出しているので、ハンドル部４を把持する手のひらが樹脂フィルム１１のみを介して低反発性（低応力）のゲル状物質１２に添うこととなり、ゲル部材８が手のひらに馴染み易くなり、ソフトタッチ感が向上する。また、十分な防振材や緩衝材としての効果も発揮でき、作業者の疲労を軽減できるとともに、インパクトドライバの落下等による他の物との衝突時の衝撃からインパクトドライバの保護が図れる。さらに、ゲル部材８は、モータ７や軸受け部等から発生する熱を遮断する効果も有している。
なお、ゲル部材８の外周縁８ｆと取付け部材９との固着には、接着材を用いてもよい。
【００２９】
さらに図５に示すように、取付け部材９の上フレーム９ｂの孔９ｄから露出するゲル部材８は、上フレーム９ｂの表面より盛り上がって形成されている。このようにゲル部材８が取付け部材９の表面より盛り上がっているので、手のひらがゲル状物質１２よりも硬質の材料からなる工具本体部２、ハンドル部４及び取付け部材９に直接当たることなく、ゲル部材８に直接当たるので、手のひらにより一層馴染み易くなり、ソフトタッチ感が向上する。
【００３０】
次に図２乃至図４に示すように、上記取付け部材９の下フレーム９ａに一体に形成されたカップ状のリアカバー部９ｃは、工具本体部２の後部を覆い、後部の保護カバーの機能を有するとともに、駆動源であるモータ７のカーボンブラシ２１が挿入されているカーボンブラシホルダ２０の挿入孔を覆うように形成されていて、カーボンブラシホルダ２０のキャップの機能を有している。このように取付け部材９に工具本体部２の後部を覆うリアカバー部９ｃを一体に形成したので、容易にカーボンブラシの交換ができるとともに、部品点数の削減と組み立て工数の削減が図れる。
【００３１】
そして、図２に示すように、上記ゲル部材８と一体化した取付け部材９の下フレーム９ａには、３箇所にねじ用の孔９ｅを形成し、取付けねじ１０によりハンドル部４と工具本体２とに取り付け取り外し可能に取り付けられている。また、図３、図５に示すように、工具本体部２とハンドル部４の取付け部材９が取り付けられる部分は、凹部２ａ、４ａに形成され、取付け部材９の上フレーム９ｂの表面が工具本体部２とハンドル部４の表面より突出しないようになっている。このように取付け部材９と一体化したゲル部材８が取り付け取り外し可能となっているので、ゲル部材８の保守が容易となる。なお、取付けねじ１０に代えて、取付け部材９の下フレーム９ａに一体に形成したプッシュナットとしてもよいし、面ファスナーを介しての固着であってもよい。
【００３２】
なお、取付け部材９の他の実施の形態としては、図６に示すように、取付け部材９を単一のフレームとし、ゲル部材８の樹脂フィルム１１にゲル状物質１２が密封された部分を露出させるための孔９ｄを設けて形成されている。この取付け部材９にゲル部材８の外周に形成された外周縁８ｆを超音波ウエルダー、熱溶着または接着剤により固着し、一体化している。そして、このゲル部材８と取付け部材９とが一体化したものを、取り付けねじ１０によりハンドル部４と工具本体部２とに取り付け取り外し可能に取り付けている。
【００３３】
また、取付け部材９と一体化したゲル部材８をハンドル部４の後部から工具本体部２の後部の一部にわたって取り付けたが、さらにハンドル部４の前部、側部あるいは全周にわたって取り付けてもよい。
【００３４】
また、上記ゲル部材８は、着色された樹脂フィルム１１を使用し、ゲル状物質１２を透明としている。このため樹脂フィルム１１の色を変えるだけで種々の色をしたゲル部材８を形成でき、インパクトドライバの外観デザインを良くすることができる。なお、逆に樹脂フィルム１１を透明とし、ゲル状物質１２を種々の色に着色してもよい。
また、ゲル状物質１２は、発光するゲル或いは熱により色が変化するゲルを用いればより外観デザインの向上が図れる。
【産業上の利用可能性】
【００３５】
上記実施の形態では、本発明をインパクトドライバに採用したが、インパクトドライバのみならず、ドリル、丸鋸、チェンソー等、工具本体部内に駆動源を持つ全ての動力工具、特にそのハンドル部に適用できる。
【図面の簡単な説明】
【００３６】
【図１】本発明に係る携帯用動力工具の正面図である。
【図２】本発明に係る携帯用動力工具の右側面図である。
【図３】本発明に係る携帯用動力工具のＡ−Ａ断面矢視図である。
【図４】取付け部材にゲル部材を一体化させた状態を示す正面図。
【図５】図２のＢ-Ｂ断面矢視図である。
【図６】他の実施例におけるＢ-Ｂ断面矢視図である。
【符号の説明】
【００３７】
１      携帯用動力工具
２      工具本体部
４      ハンドル部
７      モータ
８      ゲル部材
９      取付け部材
９ａ    下フレーム
９ｂ    上フレーム
９ｄ    孔
１１    樹脂フィルム
１２    ゲル状物質
【図１】
2008155300.tif 000003
【図２】
2008155300.tif 000004
【図３】
2008155300.tif 000005
【図４】
2008155300.tif 000006
【図５】
2008155300.tif 000007
【図６】
2008155300.tif 000008